【事件の表示】
　特願２００２−５７０１２０「マルチメディアコンテンツについての主観的情報をそのコンテンツとリンクする主観的情報レコード」拒絶査定不服審判事件〔平成１４年　９月１２日国際公開、ＷＯ０２／７１２６５、平成１６年　８月　５日国内公表、特表２００４−５２３８４２〕について、次のとおり審決する。
【結　論】
　本件審判の請求は、成り立たない。
【理　由】
１．手続の経緯
　本願は、２００２年１月２５日（パリ条約による優先権主張外国庁受理２００１年３月１日、米国）を国際出願日とする出願であって、平成１９年６月２６日付けで拒絶理由通知がなされ、同年１０月２日付けで手続補正がなされたが、同年１０月２３日付けで拒絶査定がなされ、これに対し、平成２０年１月２５日に拒絶査定不服審判の請求がなされるとともに、同日付けで手続補正がなされたものである。
　
２．平成２０年１月２５日付けの手続補正についての補正却下の決定
［補正却下の決定の結論］
　平成２０年１月２５日付けの手続補正を却下する。
　
［理由］
（１）補正後の請求項１に係る発明
　本件手続補正により、特許請求の範囲の請求項１は、
「マルチメディアコンテンツについての主観的情報をそのマルチメディアコンテンツへリンクする主観的情報レコードを有するマルチメディアコンテンツ検索及びフィルタリングシステムであって、
　主観的情報レコードは、
　　マルチメディアコンテンツについての主観的情報を有する第１のフィールドと、
　　マルチメディアコンテンツとそのマルチメディアコンテンツの位置を識別する識別子を有する第２のフィールドであり、主観的情報をマルチメディアコンテンツにリンクするための、第２のフィールドと、
　を有し、
　マルチメディアコンテンツについての主観的情報は著者を有し、
　主観的情報レコードは、主観的情報の著者を識別するデータを有する第３のフィールドを有し、
　当該システムは、主観的情報の著者に関する嗜好に基づくマルチメディアコンテンツ選択／フィルタリング処理で使用される、ユーザの嗜好に合う主観的情報の選択をユーザに提供するように構成されている、
　ことを特徴とするシステム。」
と補正された。
　
　上記補正は、補正前の請求項１における「著者」、「コンテンツ選択／フィルタリング処理」を、それぞれ、「
主観的情報の
マルチメディア
に基づいて
で使用される
　そこで、本件手続補正後の上記請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
（２）引用例
　原査定の拒絶の理由に引用された国際公開第００／４５２９２号（以下、「引用例」という。）には、図面とともに次の事項が記載されている。
　
Ａ．“TECHNICAL FIELD OF THE INVENTION 
　　The present invention is directed, in general, to video processing systems and more specifically, to a system for identifying and describing the content of visual animated data.”（第１頁第１〜４行）
（日本語訳：「発明の技術分野
  本発明は、一般にビデオ処理システム、特にビジュアル動画データのコンテントを識別し記述するシステムに関するものである。」）
　
Ｂ．“SUMMARY OF THE INVENTION 
　　To address the above-discussed deficiencies of the prior art, it is a primary object of the present invention to provide a template containing a standard set of attributes that can be used to describe any feature. Each template comprises a descriptor. A user may describe a feature using a standard template and fill in values to create the descriptor. Using the description definition language to create descriptors, a content creator can describe the lower-level individual features of the multimedia content being created. The content creator can also describe the relationships between these lower level features and collect descriptors into logical groupings using description schemes. 
　　All descriptors and description schemes created in accordance with the principles of the present invention are based on the standard template with some variations. Using a predefined template or set of templates, rather than script-based descriptors, makes the descriptors and description schemes of a visual animated data file easily recognizable and searchable.
　　Accordingly in one embodiment of the present invention, there is provided a video processing device capable of generating a descriptor data structure representative of a selected feature in a visual animated data file. The video processing device comprises: 1) user input means capable of selecting the selected feature and generating a plurality of attribute values associated with the selected feature; and 2) an image processor capable of identifying the selected feature in the visual animated data file and receiving the plurality of attribute values from the user input means and, in response to receipt of the plurality of attribute values, generating the descriptor data structure by inserting selected ones of the plurality of attribute values into corresponding ones of a plurality of pre-defined attribute fields in a standard descriptor template. 
　　According to one embodiment of the present invention, the image processor is further capable of associating the descriptor data structure with the visual animated data file to thereby produce a modified visual animated data file, wherein the selected feature may be identified in the modified visual animated data file by examining the descriptor data structure. 
　　According to another embodiment of the present invention, the selected feature is an object appearing in the visual animated data file and the descriptor data structure contains attribute values representative of the object.”（第２頁第２６行〜第３頁第２２行）
（日本語訳：「発明の概要
　従来技術の上述した欠点を解決するために、本発明の主な目的は、任意の特徴を記述するのに使用し得る標準セットの属性を含むテンプレートを提供することにある。ユーザは標準テンプレートを用いて特徴を記述し、値を記入して記述子を生成することができる。コンテント作成者は、記述子を生成する記述定義言語を用いて、作成中のマルチメディアコンテントの低レベルの個別の特徴を記述することができる。コンテント作成者はこれらの低レベル特徴の間の関係を記述し、記述スキーマを用いて記述子を論理グループに収集することもできる。
　本発明の原理に従って生成される全ての記述子及び記述スキーマは標準テンプレートに基づいて若干の変化を加えて生成される。スクリプトベース記述子ではなく予め定義されたテンプレート又は一組のテンプレートを用いると、ビジュアル動画データファイルの記述子及び記述スキーマを容易に認識し得るとともに容易に検索し得るものとなる。
　したがって、本発明の一実施例では、ビジュアル動画データファイル内の選択した特徴を表わす記述子データ構造を生成し得るビデオ処理装置を提供する。このビデオ処理装置は、1)前記特徴を選択し、前記選択した特徴と関連する複数の属性値を発生するユーザ入力手段と、2)前記ビジュアル動画データファイル内の前記選択した特徴を識別するとともに、前記ユーザ入力手段から前記複数の属性値を受信し、前記複数の属性値の受信に応答して、前記複数の属性値のうちの選択した属性値を標準記述子テンプレート内の複数の予め定義された属性フィールドの対応する属性フィールドに挿入することにより前記記述子データ構造を生成し得る画像プロセッサとを具えることを特徴とする。
　本発明の一実施例では、前記画像プロセッサは、更に、前記記述子データ構造を前記ビジュアル動画データファイルと関連させて変更ビジュアル動画データファイルを発生させることができ、前記変更ビジュアル動画データファイル内において前記選択した特徴が前記記述子データ構造を検査することにより識別し得ることを特徴とする。
　本発明の他の実施例では、前記選択した特徴が前記ビジュアル動画データファイル内に現われるオブジェクトであり、前記記述子データ構造が前記オブジェクトを表わす属性値を含むことを特徴とする。」）
　
Ｃ．“FIGURE 1 illustrates exemplary description definition language (DDL) system  100  in accordance with one embodiment of the present invention. DDL system  100  comprises video processing device  110 , visual animated data source  180 , monitor  185 , and user devices  190 . 
　　Video processing device  110 -provides the means for a content creator or editor to manually enter descriptors for a video clip (or visual animated data file) using a template of the present invention that incorporates a standard set of attributes that describe features associated with the particular application.”（第５頁第１９〜２６行）
（日本語訳：「図１は本発明の一実施例に従う代表的な記述定義言語（ＤＤＬ）システム１００を示す。ＤＤＬシステム１００はビデオ処理装置１１０と、ビジュアル動画データソース１８０と、モニタ１８５と、ユーザ装置１９０とを具える。
　ビデオ処理装置１１０は、特定のアプリケーションと関連する特徴を記述する標準セットの属性を含む本発明のテンプレートを用いてビデオクリップ（又はビジュアル動画データファイル）に対する記述子を手動的に入力するための手段をコンテント作成者又は編集者に提供する。」）
　
Ｄ．“FIGURE 2 illustrates exemplary visual animated data file  200  in accordance with one embodiment of the present invention. Visual animated data file  200  comprises video clip file  210  (partially shown) and associated descriptor file  250  (partially shown), which is in MPEG7 format. Visual animated data file  200  may be located in any one of RAM  130 , disk storage  140 , or visual animated data source 180.
　　The portion shown of video clip file  210  comprises a sequence of frames  211 - 214  depicting, among other things, object  220 . The portion shown of descriptor file  250  comprises exemplary descriptors  251 - 253 , which are in table form, as explained below in greater detail. Descriptor  251  is associated with and contains information about frame  211  in video clip file  210 . Descriptor  252  is associated with and contains information about all of video clip file  210 . Descriptor  253  is associated with and contains information about object  220  in frame  213  in video clip file  210 .”（第８頁第１１〜２２行）
（日本語訳：「図２は本発明の一実施例による代表的なビジュアル動画データファイル２００を示す。ビジュアル動画データファイル２００はビデオクリップファイル２１０（部分的に示す）及び関連する記述子ファイル２５０（部分的に示す）を具え、記述子ファイル２５０はＭＰＥＧ７フォーマットである。ビジュアル動画データファイル２００はＲＡＭ１３０、ディスク記憶装置１４０又はビジュアル動画データソース１８０のどれかに位置させることができる。
　ビデオクリップファイル２１０の図示の部分は特にオブジェクト(物体)２２０を描画する一連のフレーム２１１−２１４を具えている。記述子ファイル２５０の図示の部分は代表的な記述子２５１−２５３を具え、これらは後に詳細に説明するように表の形で表わされる。記述子２５１はビデオクリップファイル２１０のフレーム２１１と関連し、このフレームに関する情報を含む。記述子２５２はビデオクリップファイル２１０の全部と関連し、全部に関する情報を含む。記述子２５３はビデオクリップファイル２１０のフレーム２１３内のオブジェクトと関連し、このオブジェクトに関する情報を含む。」）
　
Ｅ．“Video animated data descriptors and description schemes, in accordance with the principles of the present invention, represent a list, file, or table containing a set of attributes and attribute values for either descriptors or description schemes. In order to simplify the development of descriptor and description schemes for video animated data, general descriptor and general description scheme templates of the present invention are configured with attributes specific to video applications. Each general template is converted to a specific template by incorporating a partial group of fixed values, known as elemental values, into a copy of the applicable general template. A specific descriptor or description scheme is then derived by inserting user-defined values related to a specific video scene into a copy of the applicable general template. 
　　Table 1 illustrates an exemplary general video descriptor template D 1 . General video descriptor template D 1  has a non-exhaustive set of predefined attributes which may be used when creating video descriptors. 
　　The attributes listed in descriptor template D 1  are not meant to be an exhaustive listing of elemental attributes for an MPEG7 descriptor or any other type of descriptor associated with visual animated data. In a real world environment, the full set of attributes may be considerably larger than the exemplary set outlined in descriptor template D 1 . 
　・・・（中略）・・・
　　The double line between the Structure and Creator attributes in D 1  separates the general descriptor template into categories of elemental and user-defined values. Elemental values appear above the double line and user-defined values appear below the double line. 
　・・・（中略）・・・
　　Attributes for D 1  are representative of appropriate descriptor attributes for video animated data. The Name attribute is a unique label identifying the specific descriptor using one or two descriptive keywords. The ID attribute is a globally unique identifier for the descriptor. For example, in one embodiment of the present invention, all MPEG7 descriptors have an ID attribute＝AMPEG7 ″ as the start of the ID attribute. The MPEG7 Version attribute indicates the latest revision of the MPEG7 standard that general descriptor template D 1  supports. Class attribute provides for the collection or grouping of descriptors into distinct classes that can be used for indexing and searching. The Type attribute indicates the data type of user-defined values. The Structure attribute indicates whether the Type attribute is simple or complex. 
　　The remaining attributes identify values which are to be supplied by the user when creating a specific descriptor. The Creator attribute describes the user who defined the specific descriptor. The Date and Time attribute represent the date and time the specific descriptor was created. Local ID is a unique ID for the specific descriptor. Local ID may be used as a reference identifier for the particular descriptor. The Link attribute contains a link to the source data this descriptor describes. The Language attribute indicates the language of the source material. The Priority attribute may indicate a level of confidence or of reliability. It can be used to support the prioritization of features to speed querying. Finally, the Value attribute contains the actual value of the descriptor. This value must be of the type referenced in the Type attribute. 
　　Table 2 illustrates an exemplary specific MPEG7 descriptor template D 2 , which identifies the name of an actor (actor-name). 
　　As discussed, image processor  110  creates a specific template by inserting MPEG7 elemental values into a copy of the general descriptor template D 1 . 
　・・・（中略）・・・
　　In this case, D 2  is an MPEG7-actor descriptor template which may be utilized whenever a frame, scene, or other application needs to be associated with a particular actor.
　・・・（中略）・・・
　　Table 4 illustrates descriptor D 4  which represents a descriptor based on a specific MPEG7 descriptor template. 
　・・・（中略）・・・
　　In this case, image processing device  110  has inserted user-defined values for a specific scene into a copy of MPEG7 actor-name template D 2 . The resultant actor-name descriptor D 4  provides the name of the actor who appears in a specific frame in a scene. As shown, descriptor D 4  has values for all user-defined components of D 2 . Descriptor D 4  is linked to a specific frame in the source data with a Local ID that can be used to reference this specific descriptor, if necessary. ”（第９頁第２２行〜第１４頁第１０行）
（日本語訳：「本発明の原理によるビデオ動画データ記述子及び記述スキーマは、記述子又は記述スキーマに対する一組の属性及び属性値を含むリスト、ファイル、又は表を表わす。ビデオ動画データに対する記述子及び記述スキーマの生成を簡単にするために、ビデオアプリケーションに特有の属性を用いて本発明の汎用記述子テンプレート及び汎用記述スキーマテンプレートを構成する。各汎用テンプレートを、基本値として既知の一群の固定値を適用可能な汎用テンプレートのコピーに組み込むことによって特定テンプレートに変換する。次に特定のビデオシーンに関連するユーザ定義値を適用可能な汎用テンプレートのコピー内に挿入することによって特定記述子又は記述スキーマを導出する。
　表１は代表的な汎用ビデオ記述子テンプレートＤ１を示す。汎用ビデオ記述子テンプレートＤ１はビデオ記述子の生成時に使用し得る予め定義された属性の非網羅セットを有する。
  記述子テンプレートＤ１にリストアップされる属性はビジュアル動画データと関連するＭＰＥＧ７記述子又は他の任意のタイプの記述子に対する基本属性を網羅するリストを意味しない。現実の環鏡では、属性のフルセットは記述子テンプレートＤ１に概略示される代表的セットより相当大きくすることができる。
　・・・（中略）・・・
　Ｄ１内の属性「ストラクチャ」及び「クリエータ」間の二重線は汎用記述子テンプレートを基本値とユーザ定義値の２つのカテゴリに分離するものである。基本値は二重線の上に現われ、ユーザ定義値は二重線の下に現われる。
　・・・（中略）・・・
　Ｄ１に対する属性はビデオ動画データに対する適切な記述子属性を表わす。「ネーム」属性は１以上の記述キーワードを用いて特定の記述子を識別する一意的なラベルである。「ＩＤ」属性は記述子のグローバルな識別子である。例えば、本発明の一実施例では、すべてのＭＰＥＧ７記述子は「ＩＤ」属性の開始として「ＩＤ」属性＝ＭＰＥＧ７を有する。「ＭＰＥＧ７バージョン」属性は汎用記述子テンプレートＤ１がサポートするＭＰＥＧ７標準の最新リビジョンを示す。「クラス」属性は記述子をインデキシング及び検索に使用し得る個別のクラスに収集又するはグループ化するものである。「タイプ」属性はユーザ定義値のデータタイプを示す。「ストラクチャ」属性は「タイプ」属性がシンプルかコンプレックスかを示す。
　残りの属性は特定記述子の生成時にユーザにより供給される値を識別する。「クリエータ」属性は特定記述子を定義したユーザを記述する。「デート」及び「タイム」属性は特定記述子が作成された日時を表わす。ローカルＩＤは特定記述子に対する一意的なＩＤである。ローカルＩＤは特定記述子に対する参照識別子として使用することができる。「リンク」属性はこの記述子が記述するソースデータへのリンクを含む。「ランゲージ」属性はソース資料の言語を示す。「プライオリティ」属性は信用又は信頼性のレベルを示すことができる。この属性を用いて高速問合せのために特徴の優先順位付けをサポートすることができる。最後に、「値」属性は記述子の実際値を含む。この値は「タイプ」属性に示されるタイプの値とする必要がある。
　表２は代表的な特定ＭＰＥＧ７記述子テンプレートＤ２を示し、これは役者の名前（アクターネーム）を識別するものである。
　上述したように、画像プロセッサ１１０が汎用記述子テンプレートＤ１のコピーにＭＰＥＧ７基本値を挿入することにより特定テンプレートを生成する。
　・・・（中略）・・・
　この場合には、Ｄ２はＭＰＥＧ７アクター記述子テンプレートであり、これは特定の役者と関連するフレーム、シーン又は他のアプリケーションが必要とされるとき使用することができる。
　・・・（中略）・・・
　表４は特定ＭＰＥＧ７記述子テンプレートに基づく記述子を表わす記述子Ｄ４を示す。
　・・・（中略）・・・
　この場合には、ビデオ処理装置１１０が特定シーンに対するユーザ定義値をＭＰＥＧ７アクタネームテンプレートＤ２のコピーに挿入する。得られたアクタネーム記述子Ｄ４はシーンの特定のフレーム内に現われる役者の名前を与える。表に示されているように、記述子Ｄ４はＤ２のすべてのユーザ定義要素を有している。記述子Ｄ４は、この特定の識別子を必要に応じて参照するのに使用することができるローカルＩＤを有するソースデータ内の特定のフレームにリンクされる。」）
　
　上記Ａ〜Ｅの記載、上記Ｅの記載中で摘記を省略した表４、及び第１，２図を参照すると、引用例には、次の発明が記載されているものと認められる。（以下、「引用例記載の発明」という。）
「ビジュアル動画データファイル２００が具えるビデオクリップファイル２１０の特定フレーム内のオブジェクトに関する情報（“Tom Hanks”）をその特定フレームへリンクする記述子Ｄ４を有するビジュアル動画データファイル検索システムであって、
　記述子Ｄ４は、
　　ビジュアル動画データファイル２００が具えるビデオクリップファイル２１０の特定フレーム内のオブジェクトに関する情報（“Tom Hanks”）を有する第１の属性フィールド（Value）と、
　　ビジュアル動画データファイル２００が具えるビデオクリップファイル２１０の特定フレームの位置を識別する識別子（Frame 0275）を有する第２の属性フィールド（Link）であり、情報（“Tom Hanks”）をビジュアル動画データファイル２００が具えるビデオクリップファイル２１０の特定フレームにリンクするための、第２の属性フィールド（Link）と、
　を有し、
　ビジュアル動画データファイル２００が具えるビデオクリップファイル２１０の特定フレーム内のオブジェクトに関する情報はコンテント作成者を有し、
　記述子Ｄ４は、情報のコンテント作成者を識別するデータ（“Stephen Spielberg”）を有する第３の属性フィールド（Creator）を有するシステム。」
　
（３）対比
　本願補正発明と引用例記載の発明とを対比すると、次のことがいえる。
　
（あ）引用例記載の発明における「ビジュアル動画データファイル２００が具えるビデオクリップファイル２１０の特定フレーム」は、本願補正発明における「マルチメディアコンテンツ」に相当する。
　そして、引用例記載の発明における上記「特定フレーム」内のオブジェクトに関する情報（“Tom Hanks”）と、本願補正発明における「マルチメディアコンテンツについての主観的情報」とは、「マルチメディアコンテンツについての情報」である点において、共通するものである。
　
（い）引用例記載の発明における「記述子Ｄ４」と、本願補正発明における「主観的情報レコード」とは、ともに、「情報レコード」であるということができる。
　
（う）一般に、情報を「検索」して所望の情報を抽出する処理は、「フィルタリング」処理と呼び得るものである。
　よって、引用例記載の発明における「ビジュアル動画データファイル検索システム」は、「マルチメディアコンテンツ検索及びフィルタリングシステム」と呼び得るものである。
　
（え）引用例記載の発明における「ビジュアル動画データファイル２００が具えるビデオクリップファイル２１０の特定フレーム内のオブジェクトに関する情報（“Tom Hanks”）を有する第１の属性フィールド（Value）」と、引用例記載の発明における「マルチメディアコンテンツについての主観的情報を有する第１のフィールド」とは、「マルチメディアコンテンツについての情報を有する第１のフィールド」である点において、共通するものである。
　
（お）引用例記載の発明における「ビジュアル動画データファイル２００が具えるビデオクリップファイル２１０の特定フレームの位置を識別する識別子（Frame 0275）を有する第２の属性フィールド（Link）であり、情報（“Tom Hanks”）をビジュアル動画データファイル２００が具えるビデオクリップファイル２１０の特定フレームにリンクするための、第２の属性フィールド（Link）」と、本願補正発明における「マルチメディアコンテンツとそのマルチメディアコンテンツの位置を識別する識別子を有する第２のフィールドであり、主観的情報をマルチメディアコンテンツにリンクするための、第２のフィールド」とは、「マルチメディアコンテンツとそのマルチメディアコンテンツの位置を識別する識別子を有する第２のフィールドであり、情報をマルチメディアコンテンツにリンクするための、第２のフィールド」である点において、共通するものである。
　
（か）引用例記載の発明における「コンテント作成者」は、本願補正発明における「著者」に相当する。
　そして、引用例記載の発明における「情報のコンテント作成者を識別するデータ（“Stephen Spielberg”）を有する第３の属性フィールド（Creator）」と、本願補正発明における「主観的情報の著者を識別するデータを有する第３のフィールド」とは、「情報の著者を識別するデータを有する第３のフィールド」である点において、共通するものである。
　
　上記（あ）〜（か）の事項を踏まえると、本願補正発明と引用例記載の発明とは、次の点で一致し、また、相違するものと認められる。
　
（一致点）
　本願補正発明と引用例記載の発明とは、ともに、
「マルチメディアコンテンツについての情報をそのマルチメディアコンテンツへリンクする情報レコードを有するマルチメディアコンテンツ検索及びフィルタリングシステムであって、
　情報レコードは、
　　マルチメディアコンテンツについての情報を有する第１のフィールドと、
　　マルチメディアコンテンツとそのマルチメディアコンテンツの位置を識別する識別子を有する第２のフィールドであり、情報をマルチメディアコンテンツにリンクするための、第２のフィールドと、
　を有し、
　マルチメディアコンテンツについての情報は著者を有し、
　情報レコードは、情報の著者を識別するデータを有する第３のフィールドを有するシステム。」
である点。
　
（相違点）
　本願補正発明においては「情報」が「主観的情報」であり、また、本願補正発明のシステムは「主観的情報の著者に関する嗜好に基づくマルチメディアコンテンツ選択／フィルタリング処理で使用される、ユーザの嗜好に合う主観的情報の選択をユーザに提供するように構成されている」ものであるのに対し、引用例のものにおける“Tom Hanks”という情報は、「主観的情報」であるとはされておらず、また、引用例記載の発明のシステムは、「主観的情報の著者に関する嗜好に基づくマルチメディアコンテンツ選択／フィルタリング処理で使用される、ユーザの嗜好に合う主観的情報の選択をユーザに提供するように構成されている」ものであるとはされていない点。
　
（４）判断
　そこで、上記相違点について検討する。
　引用例のものにおいて、記述子Ｄ４に見られる“Tom Hanks”という情報は、シーンの特定のフレーム内に現われる役者の名前である。
　ここで、記述子Ｄ４を作成した“Stephen Spielberg”というコンテント作成者は、“Tom Hanks”という役者に注目したから、このような記述子を作成したともいえる。すなわち、“Tom Hanks”という情報は、コンテント作成者の主観が入った情報、すなわち「主観的情報」であるともいえなくもない情報である。
　仮に、“Tom Hanks”という情報は、単にシーンの特定のフレーム内に現われる役者の名前を客観的に述べた情報、すなわち「客観的情報」にすぎないものであるとしても、記述子の「ネーム」属性に、「アクタネーム」ではなく、例えば、シーンの「評価情報」なるものを定義して、「値」属性に複数段階の評価値を情報として定義することも可能であり、このようにした場合には、まさに、コンテント作成者の主観が入った情報、すなわち「主観的情報」を定義することになると解される。そして、そのようにすることは、マルチメディアコンテンツに対して様々な評価を行うことがごく普通に行われていることを鑑みれば、当業者が容易に想到し得ることである。
　また、そのように、シーン毎に評価がなされたマルチメディアコンテンツの中から、ユーザが特定の好みのシーンを選択して視聴しようとする場合に、ユーザの好みに合致するコンテント作成者の評価情報を使用して好みのシーンを選択するようにすることは、ごく普通に考えられることにすぎない。
　以上の事情を考慮すると、引用例記載の発明において、「情報」を「主観的情報」とし、また、引用例記載の発明のシステムを「主観的情報の著者に関する嗜好に基づくマルチメディアコンテンツ選択／フィルタリング処理で使用される、ユーザの嗜好に合う主観的情報の選択をユーザに提供するように構成されている」ものとすることは、当業者が容易に想到し得ることである。
　
（本願補正発明の作用効果について）
　そして、本願補正発明の構成によってもたらされる効果も、引用例記載の発明から当業者が容易に予測することができる程度のものであって、格別のものとはいえない。
　
　したがって、本願補正発明は、引用例記載の発明に基いて、当業者が容易に発明をすることができたものであるから、特許法第２９条第２項の規定により、特許出願の際独立して特許を受けることができないものである。
　
（５）むすび
　よって、本件手続補正は、平成１８年法律第５５号改正附則第３条第１項によりなお従前の例によるとされる同法による改正前の特許法第１７条の２第５項において準用する同法第１２６条第５項の規定に違反するものであり、特許法第１５９条第１項において読み替えて準用する同法第５３条第１項の規定により却下されるべきものである。
　
３．補正却下の決定を踏まえた検討
（１）本願発明
　平成２０年１月２５日付けの手続補正は、上記のとおり却下されたので、本願の請求項１に係る発明は、平成１９年１０月２日付け手続補正書の特許請求の範囲の請求項１に記載されたとおりの次のものと認める。（以下、「本願発明」という。）
「マルチメディアコンテンツについての主観的情報をそのマルチメディアコンテンツへリンクする主観的情報レコードを有するマルチメディアコンテンツ検索及びフィルタリングシステムであって、
　主観的情報レコードは、
　　マルチメディアコンテンツについての主観的情報を有する第１のフィールドと、
　　マルチメディアコンテンツとそのマルチメディアコンテンツの位置を識別する識別子を有する第２のフィールドであり、主観的情報をマルチメディアコンテンツにリンクするための、第２のフィールドと、
　を有し、
　マルチメディアコンテンツについての主観的情報は著者を有し、
　主観的情報レコードは、著者を識別するデータを有する第３のフィールドを有し、
　当該システムは、著者に関する嗜好に基づくコンテンツ選択／フィルタリング処理に基づいて、ユーザの嗜好に合う主観的情報の選択をユーザに提供するように構成されている、
　ことを特徴とするシステム。」
　
（２）引用例
　これに対して、原査定の拒絶の理由に引用された引用例とその記載事項は、上記２．（２）に記載したとおりである。
　
（３）対比・判断
　本願発明は、上記２．で検討した本願補正発明における「
主観的情報の
マルチメディア
で使用される
に基づいて
　そうすると、本願発明の構成要件を全て含み、さらに特定の限定を施したものに相当する本願補正発明が、上記２．（４）に記載したとおり、引用例記載の発明に基いて、当業者が容易に発明をすることができたものであるから、上記特定の限定を省いた本願発明は、同様に、引用例記載の発明に基いて、当業者が容易に発明をすることができたものである。
　
（４）むすび
　以上のとおり、本願発明は、引用例記載の発明に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。